(57)【要約】【課題】工作機械作業台の防塵装置が提供される。該装置は、作業台（０１）、作業台ベース（０６）、ステンレス鋼防塵カバー（０３）、オルガン型防塵カバー（０４）及びＬ形防塵プレート（１１）を含み、前記作業台ベース（０６）は、工作機械ブリッジ（０７）の上に設置される。作業台ベース（０６）の上部にはＵ形通し溝（１５）が設置され、Ｌ形防塵プレート（１１）は、ステンレス鋼防塵カバー（０３）の両端を密封する。Ｌ形防塵プレート（１１）の上部が、ステンレス鋼防塵カバーの下側に固定され、Ｌ形防塵プレートの下部が工作機械ブリッジの端面の上に固定される。オルガン型防塵カバー（０４）はステンレス鋼防塵カバー（０３）の下に配置され、その一端が作業台ベース（０６）に接続され、他端がＬ形防塵プレート（１１）に接続される。また、作業台（０１）は、ステンレス鋼防塵カバー（０３）の上に被り、ボルトにより作業台ベース（０６）に接続される。この装置は、封止効果が良好で、コストが低く、設置と維持において便利である。
2017513723.tif 000002
【特許請求の範囲】
【請求項１】
工作機械作業台の防塵装置であって、
作業台（０１）と作業台ベース（０６）の上に設置されるステンレス鋼防塵カバー（０３）、オルガン型防塵カバー（０４）及びＬ字型防塵プレート（１１）を含み、
前記作業台ベース（０６）は、１対の直線ガイドレールセット（０２）及び１対のボールスクリューセット（１０）により工作機械ブリッジ（０７）の上に設置され、
前記作業台ベース（０６）の上部にはＵ形通し溝（１５）が切削されており、前記ステンレス鋼防塵カバー（０３）の板金は、逆Ｕ形に形成されて前記Ｕ形通し溝（１５）に突通され、
前記Ｌ形防塵プレート（１１）は、前記ステンレス鋼防塵カバー（０３）の両端を密封し、Ｌ形防塵プレート（１１）の上部がボルトによりステンレス鋼防塵カバーの下側に固定され、Ｌ形防塵プレートの下部がボルトにより工作機械ブリッジの端面の上に固定され、
前記オルガン型防塵カバー（０４）は、前記ステンレス鋼防塵カバー（０３）の下に配置され、その一端が前記作業台ベース（０６）に接続され、他端が前記Ｌ形防塵プレート（１１）に接続され、二つのオルガン型防塵カバーは、作業台ベースの両側に配置され、
前記作業台（０１）は、前記ステンレス鋼防塵カバー（０３）の上に被り、ボルトにより前記作業台ベース（０６）に接続される、
ことを特徴とする工作機械作業台の防塵装置。
【請求項２】
前記工作機械ブリッジ（０７）の両側及び前記オルガン型防塵カバー（０４）の間には、Ｕ形防塵溝部材（０５）が設けられる、
ことを特徴とする請求項１に記載の工作機械作業台の防塵装置。
【請求項３】
前記作業台（０１）の左側及び右側の端面には、それぞれ除塵ブラシ（１２）が設けられる、
ことを特徴とする請求項１または請求項２に記載の工作機械作業台の防塵装置。
【発明の詳細な説明】
【技術分野】
【０００１】
本発明は数値制御工作機械に好適な作業台の防塵装置に関するものである。
【背景技術】
【０００２】
数値制御工作機械は、１９５０年代に開発された新型の自動工作機械であり、形状が複雑であり、精密であり、量が少ない部品の加工の問題を良く解決したものであり、また、適応性が高く、加工精度及び生産効率が高いといった利点を有する。数値制御工作機械は電子計算機、自動制御、サーボドライバ、精密測定及び新型機械構造などの様々な面における高度な技術を統合したことにより、数値制御工作機械の開発が急速に変化し、数値制御工作機械の機能がますます強化されてきた。数値制御工作機械の開発動向は、数値制御機能、数値制御サーボシステム、プログラミング法、数値制御工作機械の検出と監視機能、自動調節及び制御技術などの発展に反映される。
【０００３】
従来の工作機械作業台の防塵装置は、多層の折り畳みのステンレス鋼プレートによる伸縮可能な構造に設計されるものであり、その欠点としては、
折り畳みプレートが、作業台の両端のスペースを占有するため、作業台間の距離が短く、さらに多層の折り畳みにより、構造が複雑で、密閉性が悪く、鉄くずの除去が困難であって、且つ水漏れが発生しやすい。
【発明の概要】
【発明が解決しようとする課題】
【０００４】
本発明は、従来における伸縮式の防塵装置の欠点を克服して、改良した工作機械作業台の防塵装置を提供することを目的とする。そのデザインの発想としては、一体式のステンレス鋼防塵カバーを代わりに採用することにより、作業台のスペースを占めることなく、作業台間の距離を長くさせ、また防塵の構造を最適化し、除塵ブラシを追加することで、防塵、切りくず防止、切りくず除去及び排水の処理能力を向上させる。
【０００５】
本発明は、作業台と作業台ベースの上に設置されるステンレス鋼防塵カバー、オルガン型防塵カバー及びＬ形防塵プレートを含み、前記作業台ベースは、１対の直線ガイドレールセット及び１対のボールスクリューセットにより、工作機械ブリッジの上に設置される。作業台ベースの上部にはＵ形通し溝が切削されており、ステンレス鋼防塵カバーの板金は、逆Ｕ形に形成されてＵ形通し溝に突き通される。Ｌ形防塵プレートは、ステンレス鋼防塵カバーの両端を密封し、Ｌ形防塵プレートの上部がボルトによりステンレス鋼防塵カバーの下側に固定され、Ｌ形防塵プレートの下部がボルトにより工作機械ブリッジの端面の上に固定される。オルガン型防塵カバーはステンレス鋼防塵カバーの下に配置され、その一端が作業台ベースに接続され、他端がＬ形防塵プレートに接続され、二つのオルガン型防塵カバーは、作業台ベースの両側に配置される。また、作業台は、ステンレス鋼防塵カバーの上に被り、ボルトにより作業台ベースに接続される。
【０００６】
本発明において、工作機械ブリッジの両側及びオルガン型防塵カバーの間には、Ｕ形防塵溝部材が設置され、これにより、オルガン型防塵カバーの下側の隙間が密封され、工作機械の密閉性が向上される。
【０００７】
本発明において、作業台の左側及び右側の端面（図２に対応する）には、それぞれ除塵ブラシが設置される。
【０００８】
本発明は、以下の優れた効果を有する。
（１）一体式のステンレス鋼防塵カバーを使用することにより、スペースを節約し、作業台間の距離を増加させる。
（２）作業台ベースには、Ｕ形溝が設計され、ステンレス鋼防塵カバーはＵ形溝を貫通し、加えて防塵カバーの両端がＬ形防塵プレートにより密封され、これにより、密閉性が良く、防塵、切りくず防止及び防水の性能が従来の構造における性能よりも高い。
（３）作業台の両端には、除塵ブラシが取り付けられ、これにより、作業台が移動する時に、鉄くず、冷却水を効果的に除去させることができる。
（４）ステンレス鋼防塵カバーの下にはオルガン型防塵カバーが追加的に取り付けられ、これにより、内部のボールスクリューセット、直線ガイドレールセットなどの精密部品が清潔に保たれ、工作機械の精度が保証され、部品の使用寿命が延長される。
【０００９】
本発明では、独創的な一体式のステンレス鋼防塵カバーを使用し、除塵ブラシを追加的に設置し、これにより、本発明は封止効果が良好で、防水、鉄くず防止の性能及び耐油性を有し、整理が便利で、コストが低く、保護性能が良く、設置と維持が便利で、作業効率を高められるといった利点を有する。
【図面の簡単な説明】
【００１０】
図１〜図４は、実施例の構造概要図であり、そのうち、図１が図２のＢ−Ｂ断面図であり、図２が図１のＡ‐Ａ断面図であり、図３が図１のＫ部分の拡大図であり、図４は図２に対する平面図である。
【００１１】
図において、０１、作業台；０２、直線ガイドレールセット；０３、ステンレス鋼防塵カバー；０４、オルガン型防塵カバー；０５、Ｕ形防塵溝部材、０６、作業台ベース；０７、工作機械ブリッジ；０８、サーボモータ；０９、カップリング；１０、ボールスクリューセット；１１、Ｌ形防塵プレート；１２、除塵ブラシ；１３、ボールスライダ；１４、直線ガイドレール；１５、Ｕ形通し溝である。
【発明を実施するための形態】
【００１２】
図１〜図４に示すように、工作機械作業台の防塵装置が提供される。本発明の装置は、作業台０１と作業台ベース０６の上に設置されるステンレス鋼防塵カバー０３、オルガン型防塵カバー０４及びＬ形防塵プレート１１を含み、前記作業台ベース０６は、１対の直線ガイドレールセット０２及び１対のボールスクリューセット１０により、工作機械ブリッジ０７の上に設置される。作業台ベース０６の上部にはＵ形通し溝１５が切削されており、ステンレス鋼防塵カバー０３の板金は、逆Ｕ形に形成されてＵ形通し溝１５に突き通される。Ｌ形防塵プレート１１は、ステンレス鋼防塵カバー０３の両端を密封し、Ｌ形防塵プレート１１の上部がボルトによりステンレス鋼防塵カバーの下側に固定され、Ｌ形防塵プレートの下部がボルトにより工作機械ブリッジの端面の上に固定される。オルガン型防塵カバー０４はステンレス鋼防塵カバー０３の下に配置され、その一端が作業台ベース０６に接続され、他端がＬ形防塵プレート１１に接続され、二つのオルガン型防塵カバーは、作業台ベースの両側に配置される。また、作業台０１は、ステンレス鋼防塵カバー０３の上に被り、ボルトにより作業台ベース０６に接続される。工作機械ブリッジ０７の両側及びオルガン型防塵カバー０４の間には、Ｕ形防塵溝部材０５が設置され、これにより、オルガン型防塵カバーの下側の隙間が密封され、工作機械の密閉性が向上される。また、作業台０１の左側及び右側の端面（図２に対応）には、それぞれ除塵ブラシ１２が設置される。
【００１３】
本発明の動作原理は以下である。
サーボモータ０８は、カップリング０９により、ボールスクリューセット１０を駆動して回転させ、直線ガイドレールセット０２によりガイドされ、作業台ベース０６及び作業台０１を引き動かして左右に移動させる。作業台０１の両端の除塵ブラシ１２は、加工物の加工により生成された鉄くず、廃棄残渣、廃水などを除去し、工作機械下部の廃物槽に排出させる。ステンレス鋼防塵カバー０３、オルガン型防塵カバー０４、Ｕ形防塵溝部材０５、Ｌ形防塵プレート１１及び除塵ブラシ１２などの複数の保護部品により、工作機械の密閉性が高められ、工作機械の安定的な、効率的な運転が保証される。
【図１】
2017513723.tif 000003
【図２】
2017513723.tif 000004
【図３】
2017513723.tif 000005
【図４】
2017513723.tif 000006
【国際調査報告】
2017513723.tif 000007
2017513723.tif 000008
2017513723.tif 000009
2017513723.tif 000010